(57)【要約】【課題】携帯型通信端末機において、比較的少量の情報を表示するための第１の画面配置形態と、多量の情報を一度に表示するための第２の画面配置形態とを設定する。【解決手段】本発明に係る携帯型通信端末機は、メインディスプレイ２１が設置された本体２と、サブディスプレイ４１が設置された表示パネル４と、本体２に対して表示パネル４を枢支する枢支機構とを具えている。第１の画面配置形態では、表示パネル４を本体２と背中合わせの位置に支持して、サブディスプレイ４１を本体２の裏面と対向せしめると共に、表示パネル４の裏面を本体２の裏面と同じ向きに露出させる。第２の画面配置形態では、表示パネル４を本体２の側方位置に支持して、サブディスプレイ４１をメインディスプレイ２１と同じ向きに露出させると共に、表示パネル４の裏面を本体２の裏面と同じ向きに露出させる。【選択図】　　　図２
2004120703.tif 000002
【特許請求の範囲】
【請求項１】
表面及び裏面を有して表面にメインディスプレイが設置された本体と、表面及び裏面を有して表面にサブディスプレイが設置された表示パネルと、本体に対して表示パネルを枢支する枢支機構とを具え、
表示パネルを本体と背中合わせの位置に支持して、サブディスプレイを本体の裏面と対向せしめると共に、表示パネルの裏面を本体の裏面と同じ向きに露出させた第１の画面配置形態と、
表示パネルを本体の側方位置に支持して、サブディスプレイをメインディスプレイと同じ向きに露出させると共に、表示パネルの裏面を本体の裏面と同じ向きに露出させた第２の画面配置形態
との間で、本体に対する表示パネルの支持状態を切り替えることが可能な携帯型通信端末機。
【請求項２】
前記枢支機構は、本体と背中合わせの位置と本体の側方位置との間で表示パネルを回転可能に支持する第１枢支機構と、表示パネルを本体の側方位置に支持した状態でサブディスプレイをメインディスプレイと同じ向きに露出させた姿勢とサブディスプレイを本体の裏面と同じ向きに露出させた姿勢との間で表示パネルを回転可能に支持する第２枢支機構とから構成される請求項１に記載の携帯型通信端末機。
【請求項３】
本体は、ヒンジ部（３）を介して互いに開閉可能に連結された第１本体（１）と第２本体（２）から構成され、両本体（１）（２）を閉じることによって互いに対向することとなる第１本体（１）の表面と第２本体（２）の表面にそれぞれ操作キー（１１）とメインディスプレイ（２１）が設置され、第２本体（２）の裏面には、表示パネル（４）を収容するための凹部（２３）が形成されている請求項１又は請求項２に記載の携帯型通信端末機。
【請求項４】
表示パネル（４）を第２本体（２）と背中合わせの位置に支持して、表示パネル（４）の裏面を第２本体（２）の裏面と対向せしめると共に、サブディスプレイ（４１）を第２本体（２）の裏面と同じ向きに露出させた第３の画面配置形態を設定することが可能な請求項３に記載の携帯型通信端末機。
【請求項５】
前記ヒンジ部（３）には、軸方向の一方の端部に、カメラ（５）が配備されると共に、軸方向の他方の端部に、該カメラ（５）のシャッター釦（５１）が配備されており、表示パネル（４）の裏面を前記カメラ（５）の撮影方向に向けると共にサブディスプレイ（４１）をシャッター釦（５１）の方向に露出させた第４の画面配置形態を設定することが可能な請求項３又は請求項４に記載の携帯型通信端末機。
【請求項６】
第２本体（２）の表面には、第２のカメラ（９）が設置されている請求項３乃至請求項５の何れかに記載の携帯型通信端末機。
【発明の詳細な説明】
【０００１】
【発明の属する技術分野】
本発明は、携帯電話機の如き携帯型通信端末機に関し、より具体的には、メインディスプレイとサブディスプレイの２つの表示画面を具えた携帯型通信端末機に関するものである。
【０００２】
【従来の技術】
近年、携帯電話機においては、多機能化に伴って、表示すべき情報の量が益々増大しており、これに応じて複数の画面を有する携帯電話機が開発されている。例えば、折り畳み式携帯電話機においては、本体を開いた状態で、発呼相手の電話番号を入力するときや送信メールを作成するときに、入力した電話番号やメール文章を表示するために、本体の表面にメインディスプレイが配備されると共に、折り畳み状態で着信があったとき、着信があった旨や相手の電話番号等を表示するために、本体の裏面にサブディスプレイが配備されている。
【０００３】
又、電話機本体の側部に開閉パネルを回動可能に取り付け、該開閉パネルの表面及び裏面に第１表示部及び第２表示部を設けると共に、電話機本体に第３表示部を設けた携帯電話機が提案されている（特許文献１参照）。該携帯電話機においては、表示すべき情報量の少ない通常時には、開閉パネルを閉じて第１表示部に情報を表示し、表示すべき情報の量が多い場合には、開閉パネルを開いて第２表示部と第３表示部に情報を表示する。
【０００４】
又、近年はＣＣＤカメラを搭載した携帯電話機が普及している。例えば、装置本体部に、開閉軸及び回転軸を介して、ディスプレイを具えたフリップ部を支持し、回転軸にＣＣＤカメラを取り付けた携帯電話機が提案されている（特許文献４参照）。該携帯電話機においては、前記ＣＣＤカメラを用いた撮影時に、前記フリップ部の支持姿勢を変えることによって、通常は電話番号などの表示に用いられるディスプレイをビューファインダーとして利用することが可能である。
【０００５】
【特許文献１】
特開２０００−２７８３７３号公報
【特許文献２】
特許第３１７９２１７号公報
【特許文献３】
特許第３２５５９９５号公報
【特許文献４】
特開２００１−１６９１６６号公報
【特許文献５】
特開２００２−１２５０３２号公報
【０００６】
【発明が解決しようとする課題】
しかしながら、上記特許文献１の携帯電話機においては、第１表示部、第２表示部及び第３表示部の３つの表示部を実現するために３つのディスプレイを装備する必要があり、このために構造が複雑となる問題があった。
又、上記特許文献４の携帯電話機においては、フリップ部には１つのディスプレイが搭載されているに過ぎないため、多量の情報を一度に表示することが出来ない問題があった。
【０００７】
そこで本発明の目的は、２つのディスプレイを装備して、比較的少量の情報を表示する場合の画面配置形態と、多量の情報を一度に表示する場合の画面配置形態とを切り替え設定することが可能な、簡易な構成の携帯型通信端末機を提供することである。
【０００８】
【課題を解決する為の手段】
本発明に係る携帯型通信端末機は、表面及び裏面を有して表面にメインディスプレイが設置された本体と、表面及び裏面を有して表面にサブディスプレイが設置された表示パネルと、本体に対して表示パネルを枢支する枢支機構とを具えており、
表示パネルを本体と背中合わせの位置に支持して、サブディスプレイを本体の裏面と対向せしめると共に、表示パネルの裏面を本体の裏面と同じ向きに露出させた第１の画面配置形態と、
表示パネルを本体の側方位置に支持して、サブディスプレイをメインディスプレイと同じ向きに露出させると共に、表示パネルの裏面を本体の裏面と同じ向きに露出させた第２の画面配置形態
との間で、本体に対する表示パネルの支持状態を切り替えることが可能である。
【０００９】
上記本発明の携帯型通信端末機においては、第１の画面配置形態にて、表示パネルが本体に対して閉じられて、サブディスプレイが本体の裏面と対向して隠れることとなり、メインディスプレイのみが本体の表面に露出する。そして、メインディプレイの１画面によって比較的少量の情報が表示される。
これに対し、第２の画面配置形態をとることによって、表示パネルが本体から開かれて、本体のメインディスプレイと表示パネルのサブディスプレイとが同じ向きに並ぶこととなる。そして、メインディスプレイとサブディスプレイの２画面によって多量の情報が同時に表示される。
【００１０】
具体的構成において、前記枢支機構は、本体と背中合わせの位置と本体の側方位置との間で表示パネルを回転可能に支持する第１枢支機構と、表示パネルを本体の側方位置に支持した状態でサブディスプレイをメインディスプレイと同じ向きに露出させた姿勢とサブディスプレイを本体の裏面と同じ向きに露出させた姿勢との間で表示パネルを回転可能に支持する第２枢支機構とから構成される。
該具体的構成においては、表示パネルが本体と背中合わせの位置に支持された第１の画面配置形態から、第１枢支機構の動作によって表示パネルが本体から開かれると、表示パネルが本体の側方位置に支持された状態で、サブディスプレイが本体の裏面と同じ方向を向くことになる。この状態から第２枢支機構の動作によって表示パネルを反転させると、サブディスプレイがメインディスプレイと同じ方向を向いた第２の画面配置形態に移行することになる。
【００１１】
更に具体的な構成において、本体は、ヒンジ部（３）を介して互いに開閉可能に連結された第１本体（１）と第２本体（２）から構成され、両本体（１）（２）を閉じることによって互いに対向することとなる第１本体（１）の表面と第２本体（２）の表面にそれぞれ操作キー（１１）とメインディスプレイ（２１）が設置され、第２本体（２）の裏面には、表示パネル（４）を収容するための凹部（２３）が形成されている。
該具体的構成においては、第２本体（２）に対して表示パネル（４）を閉じることによって、表示パネル（４）は第２本体（２）の収容凹部（２３）に収容され、更に第１本体（１）と第２本体（２）を閉じた折り畳み状態で、メインディスプレイ（２１）とサブディスプレイ（４１）は両本体（１）（２）の内側に隠れることになる。これによって、両ディスプレイ（２１）（４１）は外力の作用から保護される。
【００１２】
更に具体的な構成においては、表示パネル（４）を第２本体（２）と背中合わせの位置に支持して、表示パネル（４）の裏面を第２本体（２）の裏面と対向せしめると共に、サブディスプレイ（４１）を第２本体（２）の裏面と同じ向きに露出させた第３の画面配置形態を設定することが可能である。
該具体的構成によれば、第１本体（１）と第２本体（２）の折り畳み状態で、該第２本体（２）の裏面にサブディスプレイ（４１）が露出することとなり、該サブディスプレイ（４１）は例えば着信時の電話番号表示等に供せられる。
【００１３】
前記ヒンジ部（３）には、軸方向の一方の端部に、カメラ（５）が配備されると共に、軸方向の他方の端部に、該カメラ（５）のシャッター釦（５１）が配備されており、表示パネル（４）の裏面を前記カメラ（５）の撮影方向に向けると共にサブディスプレイ（４１）をシャッター釦（５１）の方向に露出させた第４の画面配置形態を設定することが可能である。
該具体的構成によれば、カメラ（５）を用いた撮影時に第４の画面配置形態をとることによって、サブディスプレイ（４１）が操作者側を向くことになるので、該サブディスプレイ（４１）をビューファインダーとして利用することが可能となる。
【００１４】
又、第２本体（２）の表面には、第２のカメラ（９）が設置されている。
該具体的構成によれば、第２の画面配置形態をとることによって、メインディスプレイ（２１）とサブディスプレイ（４１）とが操作者側に向くと共に、第２のカメラ（９）の撮影方向が操作者側に向くため、例えば３者間の通話を行なう場合、両ディスプレイ（２１）（４１）に相手の二人の画像を表示し、第２のカメラ（９）によって操作者自身を撮影して、相手の二人に画像を送信することが出来る。
【００１５】
【発明の効果】
本発明に係る携帯型通信端末機によれば、２つのディスプレイを具えた簡易な構成によって、比較的少量の情報を表示するための第１の画面配置形態と多量の情報を一度に表示するための第２の画面配置形態とを切り替え設定することが出来る。
【００１６】
【発明の実施の形態】
以下、本発明を折り畳み式携帯電話機に実施した形態につき、図面に沿って具体的に説明する。
本発明に係る折り畳み式携帯電話機は、図１に示す如く、第１本体（１）にヒンジ部（３）を介して第２本体（２）を枢支して構成され、両本体（１）（２）は、図１の如く開いた状態と図３及び図４の如く閉じた状態との間で、上下方向の開閉動作が可能となっている。図１の如く、第１本体（１）の表面には複数の操作キー（１１）が配備され、第２本体（２）の表面には、有機ＥＬ素子からなるメインディスプレイ（２１）が配備されている。又、第１本体（１）の下端部には送話部（１２）が設けられると共に、第２本体（２）の上端部には受話部（２２）が設けられている。
更に、ヒンジ部（３）は円筒状に形成され、その左方端部にはＣＣＤからなる第１カメラ（５）が配備されると共に、右方端部には第１カメラ（５）のシャッター釦（５１）が配備されている。
【００１７】
図３及び図４に示す如く、第２本体（２）には枢支機構（３１）を介して表示パネル（４）が開閉可能に連結されており、図３及び図４の如く第２本体（２）に対して表示パネル（４）を閉じた状態と、図２の如く第２本体（２）から表示パネル（４）を開いた状態との間で、横方向の開閉動作が可能となっている。図２の如く、表示パネル（４）の表面には有機ＥＬ素子からなるサブディスプレイ（４１）が配備されている。
尚、図６の如く、第２本体（２）の裏面には、表示パネル（４）が収容されるべき収容凹部（２３）が形成されている。
【００１８】
枢支機構（３１）は、図３及び図４の如く表示パネル（４）の左側部に配置された四角柱の連結部材（６）と、第２本体（２）に対して連結部材（６）をヒンジ部（３）の軸方向とは直交する回転軸で支持する２本の第１枢支ピン（８）（８）と、連結部材（６）に対して表示パネル（４）を枢支ピン（８）（８）の軸方向とは直交する回転軸で支持する第２枢支ピン（８１）とから構成されている。
【００１９】
従って、図５に示す如く表示パネル（４）が第２本体（２）に対して閉じられた状態から、図６及び図７に示す如く表示パネル（４）及び連結部材（６）が一体となって、枢支機構（３１）の第１枢支ピン（８）（８）を中心として回動することにより、表示パネル（４）は第２本体（２）から開かれることになる。次に、図８に示す如く、表示パネル（４）が枢支機構（３１）の第２枢支ピン（８１）を中心として回動することによって、サブディスプレイ（４１）の向きが反転することになる。
【００２０】
上記折り畳み式携帯電話機においては、図３〜図５に示す如く第１本体（１）と第２本体（２）を閉じると共に、第２本体（２）に対して表示パネル（４）を閉じた状態で、メインディスプレイ（２１）とサブディスプレイ（４１）は、両本体（１）（２）の内側に隠れるため、携帯時などにおいて外力の作用による損傷から保護される。
【００２１】
この状態から、図１の如く第１本体（１）と第２本体（２）を開くことによって、第１本体（１）の操作キー（１１）と第２本体（２）のメインディスプレイ（２１）とが露出し、キー操作が可能となると共に、メインディスプレイ（２１）による表示が可能となる（第１画面配置形態）。
この状態で、送受話、送信メールの作成、及び受信メールの作成が可能となる。但し、情報の表示はメインディスプレイ（２１）の画面のみによって行なわれるので、一度に表示可能な情報の量には制限がある。
【００２２】
図１の状態から表示パネル（４）を左側に１８０°開き、表示パネル（４）の上下を反転させることによって、図２に示す如く、メインディスプレイ（２１）とサブディスプレイ（４１）とが横に並び、２画面による表示が可能となる（第２画面配置形態）。これによって、多量の情報を同時に表示することが可能となる。
【００２３】
例えば操作キー（１１）を用いた文字入力において、図示の如くサブディスプレイ（４１）の画面にはパレットを表示して、この中から所望の図形を選択して、メインディスプレイ（２１）の画面にコピーすることが可能となる。
又、サブディスプレイ（４１）には受信メールを表示し、メインディスプレイ（２１）には入力中の送信メールを表示することが出来る。
又、サブディスプレイ（４１）には受信した画像を表示し、メインディスプレイ（２１）には受信したメールを表示することが出来る。
【００２４】
更に又、３者間の通話において、両ディスプレイ（２１）（４１）に相手の二人の画像を表示し、第２のカメラ（９）によって操作者自身を撮影して、相手の二人に画像を送信することが出来る。
【００２５】
一方、図５に示す如く第１本体（１）と第２本体（２）を閉じると共に、第２本体（２）に対して表示パネル（４）を閉じた状態から、図６及び図７に示す如く表示パネル（４）を９０°開くことによって、表示パネル（４）の裏面を第１カメラ（５）による撮影方向に向けると共に、サブディスプレイ（４１）を操作者側に向けて（第４画面配置形態）、該サブディスプレイ（４１）をビューファインダーとして第１カメラ（５）による撮影を可能とするカメラモードを設定することが出来る。該カメラモードにおいては、シャッター釦（５１）の操作によって、静止画や動画の撮影を行なうことが出来る。
【００２６】
更に、図７に示す如く表示パネル（４）が９０°開かれた状態から、図８の如く表示パネル（４）を反転させ、図９の如く表示パネル（４）の裏面を第２本体（２）の裏面に対向させると共に、サブディスプレイ（４１）を第２本体（２）の裏面と同じ向きに露出させることによって、該サブディスプレイ（４１）による情報の表示を可能とすることが出来る（第３画面配置形態）。例えば、着信時に相手の電話番号をサブディスプレイ（４１）の画面に表示し、或いは、受信メールの内容をサブディスプレイ（４１）の画面に表示することが出来る。
【００２７】
尚、図５の如く表示パネル（４）の裏面を露出させた向きで表示パネル（４）を第２本体（２）の収容凹部（２３）に収容した場合のみならず、図９の如くサブディスプレイ（４１）を露出させた向きで表示パネル（４）を第２本体（２）の収容凹部（２３）に収容した場合においても、表示パネル（４）が第２本体（２）の裏面から突出することがない様、表示パネル（４）と第２本体（２）の収容凹部（２３）の形状が設計されている。
【００２８】
更に、本発明の折り畳み式携帯電話機においては、図１０に示す如く、第１本体（１）の裏面に、メモリカード（７）を挿入するためのスロットが開設されており、第１カメラ（５）や第２カメラ（９）によって撮影した大画素数の画像をメモリカード（７）に保存することが可能となっている。
【００２９】
上記本発明の折り畳み式携帯電話機によれば、メインディスプレイ（２１）とサブディスプレイ（４１）の２つのディスプレイを具えた簡易な構成によって、表示せんとする情報の内容、データ量、表示の目的等に応じて、上述の４つの画面配置形態を切り替えて、適切な画面配置形態を設定することが出来る。
【００３０】
尚、本発明の各部構成は上記実施の形態に限らず、特許請求の範囲に記載の技術的範囲内で種々の変形が可能である。例えば、上記実施例では、メインディスプレイ（２１）及びサブディスプレイ（４１）を有機ＥＬディスプレイとしたが、液晶ディスプレイを採用することも可能である。
【図面の簡単な説明】
【図１】本発明に係る折り畳み式携帯電話機において本体を開いた状態を示す斜視図である。
【図２】本体を開いた状態で表示パネルを開いた状態を示す斜視図である。
【図３】本体を閉じた状態を示す正面図である。
【図４】本体を閉じた状態を示す側面図である。
【図５】本体を閉じた状態を示す斜視図である。
【図６】本体を閉じた状態で表示パネルを９０°開いた状態を示す斜視図である。
【図７】同上状態を異なる方向から見た斜視図である。
【図８】表示パネルを反転させる過程を示す斜視図である。
【図９】サブディスプレイを露出させて表示パネルを閉じた状態を示す斜視図である。
【図１０】本体を閉じた状態を示す裏面図である。
【符号の説明】
（１）　第１本体
（１１）　操作キー
（１２）　送話部
（２）　第２本体
（２１）　メインディスプレイ
（２２）　受話部
（２３）　収容凹部
（３）　ヒンジ部
（３１）　枢支機構
（４）　表示パネル
（４１）　サブディスプレイ
（５）　第１カメラ
（５１）　シャッター釦
（６）　連結部材
（７）　メモリカード
（８）　第１枢支ピン
（８１）　第２枢支ピン
（９）　第２カメラ
【図１】
2004120703.tif 000003
【図２】
2004120703.tif 000004
【図３】
2004120703.tif 000005
【図４】
2004120703.tif 000006
【図５】
2004120703.tif 000007
【図６】
2004120703.tif 000008
【図７】
2004120703.tif 000009
【図８】
2004120703.tif 000010
【図９】
2004120703.tif 000011
【図１０】
2004120703.tif 000012